【事件の表示】
　特願２００９−５２５８３７「レンズ鏡筒」拒絶査定不服審判事件〔平成２１年　７月３０日国際公開、ＷＯ２００９／０９３４７５〕について、次のとおり審決する。
【結　論】
　本件審判の請求は、成り立たない。
【理　由】
１　手続の経緯
　本願は、２００９年１月２３日（優先権主張２００８年１月２５日、日本国、２００８年２月８日、日本国、２００８年２月８日、日本国）を国際出願日とする出願であって、平成２２年４月８日付け、平成２４年１２月２５日付け及び平成２５年３月２２日付けで手続補正がなされ、同年４月１０日付けで拒絶査定がなされ、これに対して、同年７月１６日付けで拒絶査定不服審判が請求されたものである。
　
２　本願発明
　本願の請求項１ないし６に係る発明は、平成２５年３月２２日付けで補正された特許請求の範囲の請求項１ないし６に記載された事項によって特定されるものであるところ、その請求項１に係る発明は、平成２５年３月２２日付けで補正された明細書、特許請求の範囲及び図面の記載からみて、その特許請求の範囲の請求項１に記載されたとおりの次のものと認める。
　
「少なくとも１つのカム溝を有する第１枠と、
　前記カム溝に係合する少なくとも１つのカムフォロアを有する第２枠と、を備え、
　前記第１枠に対して前記第２枠が相対的に回転することで、
　前記第１枠と前記第２枠が光軸方向に相対的に移動し、
　前記カムフォロアは、その頂面が２つの略真円を前記第２枠の円周方向に仮想的に並べて繋ぐことで形成される第１の形状に形成され、かつ、その底面が２つの略真円を前記第２枠の円周方向に仮想的に並べて繋ぐことで形成される第２の形状に形成され、前記頂面と前記底面とをつないだ傾斜面を有し、
　前記カム溝は、
　　その側面が前記第１枠の円周方向に対して略平行な方向に形成された水平部と、
　　その側面が前記第１枠の円周方向に対して傾斜した方向に形成された傾斜部と、
　を有し、
　　前記カム溝の前記傾斜部の溝幅は、前記カム溝の前記水平部の溝幅よりも広く、
　　前記カム溝の前記水平部の側面と前記傾斜部の側面とをつなぐ側面には、互いに対向する２つの湾曲面が形成され、
　　前記湾曲面が形成されている部分では、前記カム溝の前記水平部から前記傾斜部に向かって溝幅が徐々に広がっていて、
　　前記カムフォロアが前記水平部と前記傾斜部との間を移動する際に、前記カムフォロアの前記傾斜面が、両側に位置する前記水平部の側面及び前記湾曲面及び前記傾斜部の側面に略連続的に当接する、レンズ鏡筒。」（以下「本願発明」という。）
　
３　刊行物の記載事項
（１）原査定の拒絶の理由に引用された「本願の最先の優先日前に頒布された刊行物である特開２００５−３０８８５２号公報（以下「引用例１」という。）」には、次の事項が図とともに記載されている（下線は審決で付した。以下同じ。）。
　
　ア　「【実施例１】
【０００８】
  次に本発明の実施例１について図面を参照して説明する。
  図１は実施例１の撮像装置の斜視図、図２は実施例１の撮像装置の構成を示すブロック図である。
  図１に示すように、本実施例の
撮像装置１００
外装を構成するケース１０２を有し
  
ケース１０２
には
沈胴式の鏡筒１０が設けられ
  鏡筒１０はケース１０２の内部に組み込まれた駆動部１２４（図２）によって
ケース１０２の前面から前方に突出した使用位置
ケース１０２の前面に収容された収容位置
との間を出没するように構成され
  ケース１０２の上端面にはシャッタボタン１１０が設けられ、ケース１０２の後面には、前記光学式ファインダの接眼窓（不図示）、電源のオンオフ、撮影モード、再生モードの切替など種々の操作を行なうための複数の操作スイッチ１１２、撮像した映像を表示するディスプレイ１１４（図２）などが設けられている。
【０００９】
  図２に示すように、鏡筒１０の後部には、撮影光学系１０４によって結像された被写体像を撮像するＣＣＤやＣＭＯＳセンサなどで構成された撮像素子１１６が配設され、撮像装置１００は、撮像素子１１６から出力された撮像信号に基づいて画像データを生成し、メモリカードなどの記憶媒体１１８に記録する画像処理部１２０、前記画像データをディスプレイ１１４に表示させる表示処理部１２２、駆動部１２４、操作スイッチ１１２やシャッタボタン１１０の操作に応じて画像処理部１２０、表示処理部１２２、駆動部１２４を制御するＣＰＵなどを含む制御部１２６などを備えている。
【００１０】
　次に、鏡筒１０の概略構成について説明する。
　
図３は
（Ｂ）が使用時のレンズ突出状態（広角状態あるいは望遠状態）を示す。図４は
（Ｂ）が広角状態、（Ｃ）が望遠状態を示す
【００１１】
　図３に示すように、鏡筒１０は、
ケース１０２に固定されるベース１２に取着されている
　図４に示すように、
撮影光学系は光学的には３群構成である
被写体側を前方
撮像素子１１６側を後方
前方から後方に向かってこの順番で配設された１群レンズ１４、２群レンズ１６、３群レンズ１８によって構成され
　鏡筒１０は、
１群レンズ１４と２群レンズ１６が所定のカムカーブにより光軸方向に駆動されることによってズーミングを行い、３群レンズ１８が光軸方向に微小に変位されることによってフォーカッシングを行う
【００１２】
　図５に示すように
鏡筒１０
１群、２群レンズ１４，１６を前記光軸方向に移動させる構成として、固定環２０、回転環２２、カム環２４、直進案内環２６などが用いられ
　本実施例では、図３（Ｂ）に示すように、鏡筒１０は、
第１鏡筒１０Ａと第２鏡筒１０Ｂと第３鏡筒１０Ｃとで構成された沈胴式である
第１鏡筒１０Ａは、ケース１０２内に配設された固定環２０で構成され、第２鏡筒１０Ｂは、固定環２０の内側に配設されたカム環２４で構成され、第３鏡筒１０Ｃは、カム環２４の内側に配設された１群レンズ枠１４０２で構成されている
【００１３】
　具体的に説明すると、
固定環２０はベース１２に対して固定されており、固定環２０の内周面には、
周方向に延在するカム溝２００２，２００４と、撮影光学系の光軸方向と平行に延在する直進案内溝２００６とが設けられている
　回転環２２は、固定環２０の外周に回転可能にかつ光軸方向に移動不能に設けられている。
　回転環２２にはその内周面と外周面を貫通し周方向に延在する複数のカム溝２２０２が設けられ、内周面には光軸方向に沿って直線的に延在する直進溝２２０５が設けられ、外周面後部にはギア部２２０４が周方向に所定の長さ延在形成され、また、回転環２２の後端には回転位置検知用の複数のフィン２２０６が突設されている。
　ギア部２２０４はベース１２に取着された回転環駆動機構２３のギア２３０２に噛合され、回転環駆動機構２３から供給される回転駆動力がギア２３０２とギア部２２０４を介して回転環２２に供給されることで回転環２２が光軸を中心に回転駆動されるように構成されている。
　回転環駆動機構２３は、ギア２３０２を回転駆動するＤＣモータと、このＤＣモータまたはギア２３０２の回転数をカウントするためのロータリエンコーダと、フィン２２０６の移動を検知するフォトセンサとを有し、これらロータリエンコーダおよびフォトセンサの検出信号に基づいて回転環２２の回転速度または回転位置制御を行うように構成されている。
　３群レンズ１８は３群レンズ枠１８０２で保持され、３群レンズ枠１８０２は、ベース１２に光軸方向に移動可能にかつ光軸を中心に回転できないように配設されている。３群レンズ移動機構２８は、３群レンズ枠１８０２に連結された雌ねじ部材に螺合される雄ねじ部材（リードスクリュー）と、この雄ねじ部材を回転駆動するモータとを有し、このモータが回転駆動されることにより３群レンズ１８を光軸方向に移動させフォーカシング動作がなされるように構成されている。
　カム環２４は、固定環２０の径方向内側箇所に回転可能にかつ前記光軸方向に移動可能に設けられ、
カム環２４の内周面には、
カム溝２４０２，２４０４
１群レンズ枠１４０２に設けられている３つのカムピン１４０６
が設けられ、
カム環２４の後端には径方向外方向に突出する３つの凸部２４０６が周方向に間隔をおいて設けられている
３つの凸部２４０６が固定環２０のカム溝２００２，２００４に係合した状態で、カム環２４が固定環２０に対して回転運動することでこれら３つの凸部２４０６が固定環２０のカム溝２００２，２００４に沿って動かされることによりカム環２４が前記光軸方向に移動され
　さらに、固定環２０のカム溝２００２の少なくとも１つは径方向に貫通しており、前記貫通したカム溝２００２に対応するカム環２４の凸部２４０６に設けられた不図示のアームの先端が前記カム溝２００２を通って回転環２２の直進溝２２０５に係合されている。これにより、カム環２４と回転環２２は固定環２０に対して連動して回転する。すなわち、回転環２２を回転させると、カム環２４は回転しながら光軸方向に移動する。
　
直進案内環２６は、カム環２４の径方向内側箇所に回転不能にかつ前記光軸方向にカム環２４と連動して移動可能に設けられ
直進案内環２６の後端には径方向外方に突出する３つの凸部２６０２が周方向に間隔をおいて設けられている
これら３つの凸部２６０２がカム環２４の後方を通って固定環２０の直進案内溝２００６
に係合した状態でカム環２４が固定環２０に対して回転運動することでこれら３つの凸部２６０２が固定環２０の直進案内溝２００６に沿って動かされ、これにより直進案内環２６は回転せずにカム環２４と連動して光軸方向にのみ移動される
　また、
直進案内環２６には、前縁の径方向を挟んだ２箇所から案内片２６０４がそれぞれ光軸方向と平行に前方に突設されている
【００１４】
　
２群レンズ１６は２群レンズ枠１６０２
に保持されている
２群レンズ枠１６０２はカム環２４の内周に配設され、２群レンズ枠１６０２の外周面には、径方向を挟む２箇所に光軸方向と平行に延在し直進案内環２６の２つの案内片２６０４に案内される案内部１６０４と、径方向を挟む２箇所に光軸方向と平行に延在し前方に突出する案内レール１６０５と、カム環２４のカム溝２４０２
に係合される３つのカムピン１６０６とが設けられている
　そして、
案内部１６０４が案内片２６０４に案内され、かつ、３つのカムピン１６０６がカム環２４のカム溝２４０２
に係合された状態で、カム環２４が回転することにより、２群レンズ１６は、
光軸方向にのみ移動する
　２群レンズ枠１６０２には、鏡筒１０内の迷光を遮断し、撮像素子１１６への迷光侵入を防止する２群遮光板１６０８が設けられている。
　２群遮光板１６０８は、前記光軸に垂直な平面と平行な方向に延在する軸線回りに揺動可能に２群レンズ枠１６０２に取り付けられている。
　２群遮光板１６０８は、鏡筒１０が突出した状態においては不図示の付勢部材による付勢により２群レンズ枠１６０２に設けられた不図示のストッパに当接することで迷光を遮断する遮断位置に位置され、鏡筒１０が突出状態から収納状態へ遷移する過程において、３群レンズ移動機構２８の前端部分に当て付けられることで前記遮断位置から揺動され３群レンズ移動機構２８の前端部分から退避するように構成されている。これにより、２群遮光板１６０８および２群レンズ枠１６０２をよりベース１２の近傍に位置させることができ鏡筒１０の収納状態において、２群レンズ枠１６０２が光軸方向に占有するスペースを削減する上で有利となっている。
　また、２群レンズ枠１６０２の前部には、シャッタの機能と可変絞りの機能を備えた自動露光装置１６１０が設けられ、自動露光装置１６１０には、屈曲可能な素材で構成されたフレキシブル配線板１６１２の一端が接続されている。このフレキシブル配線板１６１２の中間部は、カム環２４の後端から固定環２０に設けられた不図示の開口を通って固定環２０の外方に導出され、フレキシブル配線板１６１２の他端は固定環２０やベース１２に固定されている。フレキシブル配線板１６１２は、回転環２２の回転動作および２群レンズ枠１６０２と直進案内環２６の光軸方向の移動に際して、連続的に屈曲部位が変化しながら、前記配線群に無理な力が加わらないような長さで形成されている。
　このフレキシブル基板１６１２は、自動露光装置１６１０に設けられたアクチュエータ群を動作させるための電気信号を供給する配線群を有している。また、フレキシブル配線板１６１２は、鏡筒１０がケース１０２から外方に露出している部分に静電気等が加えられて瞬間的な大電流が流れる場合に、その電流の流路として機能する前記配線群とは別の配線群を備えている。フレキシブル基板１６１２の前記別の配線群のベース１２側に位置する接続端は、ケース１０２と同電位となる接地部分に電気的に接続されている。
【００１５】
　
１群レンズ１４は１群レンズ枠１４０２に保持されている
１群レンズ枠１４０２はカム環２４の内周で２群レンズ枠１６０２の前方に配設され
１群レンズ枠１４０２の内周面には、径方向を挟む２箇所に光軸方向と平行に延在し２群レンズ枠１６０２の２つの案内レール１６０５に案内される
案内溝が設けられ、１群レンズ枠１４０２の外周面には、カム環２４のカム溝２４０４に係合される３つのカムピン１４０６が設けられている（
　そして、
前記案内溝が案内レール１６０５
に案内され、かつ、３つのカムピン１４０６がカム環２４のカム溝２４０４
に係合された状態で、カム環２４が回転することにより、１群レンズ１４は、
光軸方向にのみ移動する
　また、１群レンズ枠１４０２と２群レンズ枠１６０２との間には、２つの金属製のコイルスプリング１５が張設されており、これらコイルスプリング１５の付勢力によって１群レンズ枠１４０２と２群レンズ枠１６０２は光軸方向に沿って互いに近接する方向に付勢されており、これにより、カムピン１４０６とカム溝２４０４（審決注；「２４０２」は「２４０４」の明らかな誤記なので訂正して摘記した。）との間のガタ、および、カムピン１６０６とカム溝２４０２（審決注；「２４０４」は「２４０２」の明らかな誤記なので訂正して摘記した。）との間のガタを吸収するように構成されている。
　また、２群レンズ枠１６０２には１つの導通板３１が組み込まれている。この導通板３１には、前記２つのコイルスプリング１５のうちの一方のコイルスプリング１５の端部が係止されるとともに、フレキシブル配線板１６１２の前記別の配線群の接続端のうち１群レンズ枠１４０２側に位置する接続端が電気的に接続されている。これにより、前記一方のコイルスプリング１５は導通板３１とフレキシブル配線板１６１２の前記別の配線群を介して前記接地部分に接続されている。
【００１６】
　また、１群レンズ群１４の前部に撮影光学系の光路を開閉するバリア機構３０が設けられ、バリア機構３０の前方の１群レンズ枠１４部分には鏡筒１０の体裁を整える金属製の化粧リング３２が取着され、カム環２４の前部には鏡筒の体裁を整えるための金属製の化粧リング３４が取着されている。
　１群レンズ枠１４の外周とカム環２４の内周との隙間には、この隙間からゴミや迷光の侵入を防ぐ遮光リング３６が配設され、この遮光リング３６は、１群レンズ枠１４上に装着され、化粧リング３４とカム環２４との間にクリアランスを持った状態で配設されている。
　カム環２４の外周と固定環２０の内周との隙間には、この隙間からゴミや迷光の侵入を防ぐための遮光リング３８が配設され、この遮光リング３８はカム環２４の外周に装着され、固定環２０の内周に弾接される。
　また、光学式ファインダ４０は可動式のレンズを内蔵しておりベース１２に取着されている。前記可動式のレンズは不図示のカムピンを介して回転環２２のカム溝２２０２に連結されており、回転環２２の回転に連動して光軸方向に移動することで視野のズーミング動作がなされるように構成されている。」
　イ　「【００１７】
　次に、２群レンズ枠１６０２およびカム環２４の構成について詳細に説明する。
　図８（Ａ）は２群レンズ枠１６０２の側面図であり、（Ｂ）は（Ａ）のＢ矢視図である。図９（Ａ）は２群レンズ枠１６０２およびカム環２４の縦断面図、（Ｂ）は（Ａ）のＢ矢視図である。
　図９に示すように、カム環２４の
カム溝２４０２は、底面２４０２Ａと、カム環２４の内周面から底面２４０２Ａに至るにつれて互いに近接する両側の傾斜面２４０２Ｂとが延在することで形成され
　図８、図９に示すように、２群レンズ枠１６０２の３つのカムピン１６０６は、２群レンズ枠１６０２の外周部から半径方向外側に突設されている。
　カムピン１６０６は、図８に示すように、円柱部１６０６Ａと、この円柱部１６０６Ａの先部に形成されカム溝２４０２の両側の傾斜面２４０２Ｂに係合可能な円錐面１６０６Ｂと、円錐面１６０６Ｂの先端に形成された端面１６０６Ｃとを有し、円錐面１６０６Ｂと端面１６０６Ｃによりカム溝２４０２に係合する係合部１６０６Ｄが構成されている。
　そして、カムピン１６０６には、２群レンズ枠１６０２の外周部の周方向におけるカムピン１６０６の両側部分のうちの一方が係合部１６０６Ｄから円柱部１６０６Ａの全長にわたって切り取られ前記両側部分のうちの一方に該カムピン１６０６の全長にわたって単一の平面が延在する第１平坦部１６０６Ｅが設けられている。
　また、カムピン１６０６は、第１平坦部１６０６Ｅに加え、前記光軸方向におけるカムピン１６０６の両側部分がそれぞれ係合部１６０６Ｄから円柱部１６０６Ａの全長にわたって切り取られ前記両側部分にそれぞれ円柱部１６０６Ａの全長にわたって単一の平面が延在する第２平坦部１６０６Ｆ、第３平坦部１６０６Ｇが設けられている。したがって、本実施例では、カムピン１６０６に、互いに９０度の角度をもって交差する第１〜第３平坦部１６０６Ｅ、１６０６Ｆ、１６０６Ｇが設けられている。
【００１８】
　次に上述の構成からなるカムピン１６０６の原理について説明する。
　まず、平坦部を有しない従来のカムピン１６０６´について説明する。
　図１０（Ａ）は従来のカムピン１６０６´およびカム環の縦断面図、（Ｂ）は（Ａ）のＢ矢視図である。図１１は従来のカムピン１６０６´とカム溝の説明図、図１２（Ａ）は従来のカムピン１６０６´の正面図、（Ｂ）は（Ａ）のＢ矢視図、（Ｃ）は（Ａ）のＣ矢視図、（Ｄ）はカムピン１６０６´の斜視図である。
　図１０に示すように、従来の
カムピン１６０６´は、円柱部１６０６Ａと、円錐面１６０６Ｂと、端面１６０６Ｃとを有し、円錐面１６０６Ｂと端面１６０６Ｃとによりカム溝２４０２に係合する係合部１６０６Ｄが構成されている
　２群レンズ枠１６０２は上述のように回転不能かつカム環２４の内部で軸方向に移動可能に配設されているので、図１１に示すように、カム環２４の回転によりカムピン１６０６´はカム溝２４０２により案内され、カム環２４の軸方向（光軸方向）に沿って前方あるいは後方に直線移動される。なお、図１１では、カム溝２４０２に沿ってカムピン１６０６´が移動するように描かれているが、実際には、カム環２４の周方向におけるカムピン１６０６´の位置は不変であり、カムピン１６０６´を通るカム溝２４０２の軸方向Ｘにおける位置が変化することでカムピン１６０６´は軸方向Ｘに移動する。
【００１９】
　
カムピン１６０６´の係合部１６０６Ｄは、カム溝２４０２の両側の傾斜面２４０２Ｂに対して線接触で係合（摺接）し、
（イ）で示す箇所では、カム溝２４０２がカム環２４の周方向に沿って延在しており
（イ）箇所では、カム環２４の軸方向Ｘと平行な直線Ｌ上においてカムピン１６０６´の係合部１６０６Ｄとカム溝２４０２の両側の傾斜面２４０２Ｂとが線接触する
　また、図１１に
（ロ）で示す箇所では、カム溝２４０２が（イ）箇所に対してリード角θ１をもって延在しており、（ロ）箇所では、カム環２４の軸方向Ｘと平行な直線Ｌに対して角度θ１をなす直線Ｌ１上においてカムピン１６０６´の係合部１６０６Ｄとカム溝２４０２の両側の傾斜面２４０２Ｂとが線接触する
　また、図１１に
（ハ）で示す箇所では、カム溝２４０２が（イ）箇所に対してリード角θ２をもって延在しており、（ハ）箇所では、カム環２４の軸方向Ｘと平行な直線Ｌに対して角度θ２をなす直線Ｌ２上においてカムピン１６０６´の係合部１６０６Ｄとカム溝２４０２の両側の傾斜面２４０２Ｂとが線接触する
　また、図１１に
（ニ）で示す箇所では、カム溝２４０２がカム環２４の周方向に沿って延在しており、したがって（ニ）箇所では、カム環２４の軸方向Ｘと平行な直線Ｌ上においてカムピン１６０６´の係合部１６０６Ｄとカム溝２４０２の両側の傾斜面２４０２Ｂとが線接触する
　これらにより、カムピン１６０６´の係合部１６０６Ｄはその全ての部分がカム溝２４０２の両側の傾斜面２４０２Ｂに線接触するのではなく、図１１に示し、また、図１２（Ａ）に斜線で示すように、軸方向Ｘにおける係合部１６０６Ｄの両側部分でそれぞれ角度θ１＋角度θ２の範囲の箇所が両側の傾斜面２４０２Ｂに線接触し、残りの係合部１６０６Ｄの箇所は２群レンズ枠１６０２の直線移動に寄与していない。
【００２０】
　したがって、カムピン１６０６´の係合部１６０６Ｄのうち、前記線接触する領域を除く非接触領域、すなわち、図１２（Ａ）の斜線以外の部分をカムピン１６０６´から切り取っても、カムピン１６０６はカム溝２４０２により案内され、カム環２４の回転による２群レンズ枠１６０２の光軸方向への移動動作に支障は生じない。」
　
　ウ　図１、図３ないし図５から、撮像装置１００の外装を構成するケース１０２の沈胴式レンズ鏡筒１０における前面は固定環２０の前面であること、収容位置の沈胴式レンズ鏡筒１０では、カム環２４及び１群レンズ枠１４０２はいずれも固定環２０の前面に収容されるが、使用位置の沈胴式レンズ鏡筒１０では、固定環２０の前面からカム環２４が前方に突出し、さらにその突出したカム環２４の前面から１群レンズ枠１４０２が前方に突出することが見て取れる。
　
　エ　鏡筒１０の状態を説明する断面図である図４、沈胴レンズの分解斜視図である図５、カム環２４の展開図である図７、及び、２群レンズ枠１６０２と１群レンズ枠１４０２とが離間及び接近した状態を示す斜視図である図１６の記載と、従来のカムピン１６０６’およびカム環の説明図である図１０、従来のカムピン１６０６’およびカム溝の説明図である図１１、及び、従来のカムピン１６０６’の説明図である図１２の記載とから、次の（ア）及び（イ）のことが見て取れる。
（ア）１群レンズ枠１４０２に設けられている３つのカムピン１４０６は、「円柱部１６０６Ａと、円錐面１６０６Ｂと、端面１６０６Ｃとを有し、円錐面１６０６Ｂと端面１６０６Ｃとによりカム溝２４０２に係合する係合部１６０６Ｄを構成し、カム環２４の回転によりカム溝２４０２により案内されて、２群レンズ枠１６０２を光軸方向であるカム環２４の軸方向に沿って前方あるいは後方に直線移動させ、その係合部１６０６Ｄがカム溝２４０２の両側の傾斜面２４０２Ｂに対して線接触で係合して摺接する従来のカムピン１６０６´」と同じ形状であり、カムピン１４０６とカム溝２４０４との関係は従来のカムピン１６０６´とカム溝２４０２との関係と同じであること
（イ）カムピン１６０６´の係合部１６０６Ｄが線接触で係合して摺接する両側の傾斜面２４０２Ｂを有し、カム環２４の周方向に沿って延在する第１の箇所（イ）、第１の箇所に対して第１のリード角θ１をもって延在する第２の箇所（ロ）、第１の箇所に対して第２のリード角θ２をもって延在する第３の箇所（ハ）及びカム環２４の周方向に沿って延在する第４の箇所（ニ）からなるカム溝２４０２に対して、カム溝２４０４は、カムピン１４０６の係合部が線接触で係合して摺接する両側の傾斜面を有し、カム環２４の周方向に沿って延在する第１の箇所、第１の箇所に対して第１のリード角をもって延在する第２の箇所、第１の箇所に対して第１のリード角とは逆方向に第２のリード角をもって延在する第３の箇所、カム環２４の周方向に沿って延在する第４の箇所、第１の箇所に対して第１のリード角と同方向に第３のリード角をもって延在する第５の箇所及びカム環２４の周方向に沿って延在する第６の箇所からなるものであり、第１の箇所ないし第６の箇所の各箇所の間の接続部は湾曲していること
　
　オ　上記アないしエからみて、引用例１には、
「撮像装置１００の外装を構成するケース１０２内に配設された固定環２０と固定環２０の内側に配設されたカム環２４とカム環２４の内側に配設された１群レンズ枠１４０２とで構成され、
　ケース１０２に固定されるベース１２に対して固定環２０を固定することでケース１０２に取着され、
　ケース１０２の前面でもある固定環２０の前面からカム環２４が前方に突出し、さらにその突出したカム環２４の前面から１群レンズ枠１４０２が前方に突出する使用位置とケース１０２の前面に収容された収容位置との間を出没するように構成され、
　撮影光学系は、光学的には、被写体側から撮像素子側に向かってこの順番で配設された１群レンズ１４、２群レンズ１６、３群レンズ１８によって構成される３群構成であり、
　２群レンズ１６を保持する２群レンズ枠１６０２、回転環２２、直進案内環２６を備え、
　固定環２０の内周面に、周方向に延在するカム溝２００２，２００４と、撮影光学系の光軸方向と平行に延在する直進案内溝２００６とを設け、
　カム環２４の内周面にカム溝２４０２，２４０４を設け、
　カム環２４の後端に径方向外方向に突出する３つの凸部２４０６を周方向に間隔をおいて設け、これら３つの凸部２４０６が固定環２０のカム溝２００２，２００４に係合した状態でカム環２４が固定環２０に対して回転運動することで、これら３つの凸部２４０６を固定環２０のカム溝２００２，２００４に沿って動かしてカム環２４を光軸方向に移動させることができるようにし、
　直進案内環２６は、カム環２４の径方向内側箇所に回転不能にかつ前記光軸方向にカム環２４と連動して移動可能に設けられており、
　直進案内環２６の前縁の径方向を挟んだ２箇所から案内片２６０４をそれぞれ光軸方向と平行に前方に突設し、
　直進案内環２６の後端に径方向外方に突出する３つの凸部２６０２を周方向に間隔をおいて設け、
　これら３つの凸部２６０２がカム環２４の後方を通って固定環２０の直進案内溝２００６に係合した状態でカム環２４が固定環２０に対して回転運動することでこれら３つの凸部２６０２が固定環２０の直進案内溝２００６に沿って動かされ、これにより直進案内環２６を回転せずにカム環２４と連動して光軸方向にのみ移動させるようにし、
　２群レンズ枠１６０２の外周面には、
　　径方向を挟む２箇所に光軸方向と平行に延在し直進案内環２６の２つの案内片２６０４に案内される案内部１６０４と、
　　径方向を挟む２箇所に光軸方向と平行に延在し前方に突出する案内レール１６０５と、
　　カム溝２４０２に係合される３つのカムピン１６０６とを設け、
　該２群レンズ枠１６０２をカム環２４の内周に配設し、
　案内部１６０４が案内片２６０４に案内され、かつ、３つのカムピン１６０６がカム環２４のカム溝２４０２に係合された状態でカム環２４が回転することにより２群レンズ枠１６０２を光軸方向にのみ移動させることができるようにし、
　１群レンズ枠１４０２の内周面に、径方向を挟む２箇所に光軸方向と平行に延在し２群レンズ枠１６０２の２つの案内レール１６０５に案内される第２の案内溝を設け、
　１群レンズ枠１４０２の外周面に、カム環２４のカム溝２４０４に係合される３つのカムピン１４０６を設け、
　該１群レンズ枠１４０２をカム環２４の内周で２群レンズ枠１６０２の前方に配設し、第２の案内溝を案内レール１６０５に案内させ、かつ、３つのカムピン１４０６をカム環２４のカム溝２４０４に係合させた状態でカム環２４を回転することにより１群レンズ枠１４０２を光軸方向にのみ移動させることができるようにし、
　１群レンズ１４と２群レンズ１６が所定のカムカーブにより光軸方向に駆動されることによってズーミングを行い、３群レンズ１８が光軸方向に微小に変位されることによってフォーカッシングを行うようにした、撮像装置１００の沈胴式レンズ鏡筒であって、
　１群レンズ枠１４０２のカムピン１４０６は、円柱部と、円錐面と、端面とを有し、円錐面と端面とによりカム溝２４０４に係合する係合部を構成し、カム環２４の回転によりカム溝２４０４により案内されて、１群レンズ枠１４０２を光軸方向であるカム環２４の軸方向に沿って前方あるいは後方に直線移動させ、その係合部がカム溝２４０４の両側の傾斜面に対して線接触で係合して摺接するものであり、
　カム溝２４０４は、カムピン１４０６の係合部が線接触で係合して摺接する両側の傾斜面を有し、カム環２４の周方向に沿って延在する第１の箇所、第１の箇所に対して第１のリード角をもって延在する第２の箇所、第１の箇所に対して第１のリード角とは逆方向に第２のリード角をもって延在する第３の箇所、カム環２４の周方向に沿って延在する第４の箇所、第１の箇所に対して第１のリード角と同方向に第３のリード角をもって延在する第５の箇所及びカム環２４の周方向に沿って延在する第６の箇所からなるものであり、第１の箇所ないし第６の箇所の各箇所の間の接続部は湾曲しているものである、
　撮像装置１００の沈胴式レンズ鏡筒。」の発明（以下「引用発明１」という。）が記載されているものと認められる。
　
（２）原査定の拒絶の理由に引用された「本願の最先の優先日前に頒布された刊行物である特開平８−２５４６４４号公報（以下「引用例２」という。）」には、次の事項が図とともに記載されている
　
　ア　「【０００１】
【産業上の利用分野】本発明はレンズ鏡筒及びそれを用いた光学機器に関し、特に物体を撮像したり、物体像を観察系で観察する撮影時に物体側の第１レンズ群を固定又は移動させるタイプのズームレンズや単焦点距離レンズ等の撮影レンズを収納するレンズ鏡筒において撮影時以外の非撮影時のレンズ鏡筒全体の小型化を図った、例えば携帯性に優れたビデオカメラ等に好適なものである。
【０００２】
【従来の技術】従来より
ビデオカメラ等の光学機器において
用いられ
レンズ鏡筒
【０００３】これに対して本出願人は特願平７−３７６７１号において
第１レンズ群を保持する第１保持枠と第２レンズ群を保持する第２保持枠を同一のカム環に係合させ、該カム環に設けたカム機構により変倍操作の際には該第１保持枠と第２保持枠の光軸方向の相対的間隔を変化させ、変倍操作以外のとき、該第２保持枠に対して設けた該カム機構のカムリフトが０となるようにして該第１保持枠と該第２保持枠をその相対位置を一定にしつつ、光軸方向に移動できるようにした沈胴動作機構を有したレンズ鏡筒
【０００４】同公報ではこれにより非撮影時の光学機器全体の小型化を図り、例えば携帯性を良くしたカメラ一体型のビデオカメラ等に好適なレンズ鏡筒及びそれを用いた光学機器を達成している。
【０００５】一般に沈胴動作においてはカム環を回動させて行っている。このとき移動用のレンズ群を保持するレンズ保持枠と係合するカム環を
固定筒に設けた断面形状が円形のカムコロと該カム環のカム溝とを係合させることにより駆動制御している
　
　イ　「【０００６】
【発明が解決しようとする課題】
撮影状態において前玉枠（第１保持枠）が物体側へ繰り出しているときに外部から前玉枠に落下や衝撃等の力がかかる
【０００７】このとき図７に示すように
固定筒に設けた断面形状が円形の固定カムコロ７１
がカム環７３に形成した前玉枠移動用のカム溝７４の壁面に衝打して打痕傷Ｐａが生じ
カム溝７４の打痕傷Ｐａが生じた領域を固定カムコロ７１が通過すると変倍中では結像位置のずれとな
カム環の作動負荷が変動して、円滑なる駆動制御が難しくな
【０００８】本発明は、
撮影状態において前玉枠が物体側へ繰り出しているときに外部から前玉枠に落下や衝撃等の力が加わっても、
カム溝の壁面に打痕傷が生じないようにし、前玉枠を円滑に駆動制御することのできる
目的とする
【０００９】
【課題を解決するための手段】本発明のレンズ鏡筒は、
（１−１）レンズを保持する保持枠をカム環に係合させ、該カム環を該カム環に設けたカム溝と係合する
断面形状が長円形のカムコロ
光軸と直交方向に長い長円形
　
　ウ　「【００１７】
【実施例】図１，図２は各々本発明の実施例１の要部断面図である。図１は撮影時、図２は非撮影時の鏡筒の収納時（沈胴時）を示している。図３は図１の一部分の説明図である。
【００１８】図中１は
撮影時
に固定の第１レンズ群、
変倍用の第２レンズ群、
【００１９】５は
前玉枠（第１保持枠）であり、第１レンズ群１を保持し
カム環
前玉枠５内で回動し
カム環インナーギア
カム環６の内側に設けられ
前玉枠用直進キー部
カム環６のスラスト方向の後からの押えを兼ねた枠８と一体的に設けている
２群枠用直進溝
前玉枠５に形成している
前玉枠用直進溝
固定筒１５に設けられている
【００２０】１６は第４レンズ駆動用のステップモータ、１７は沈胴及び変倍の際の駆動用のズームモータ、１８は連動ギアであり、カム環インナーギア７と噛合している。１９はズームモータ１７からの駆動力を伝える出力軸である。１２は
断面形状が長円形
固定カムコロ
固定筒１５と一体となって
カム環６に設けたカム溝３２に係合
光軸と直交方向に長い長円形
【００２１】本実施例では３個以上の固定カムコロと３本のカム溝をレンズ鏡筒の前方から見たとき、１２０度おきに配置し、第１レンズ群１の倒れ偏心を防止している。図では１か所のみを示している。１３は
２群カムコロであり、２群移動枠（第２保持枠）１４と一体的に設けており、カム環６に設けたカム穴と係合し、更にその先端部は２群枠用直進溝９に係合している
【００２２】２０は２群移動枠１４と一体的に設けた腕部分である。２１はステップモータ１６の出力軸であり、その外周部にはオネジ加工をしている。２２はラック部材、２３はラックバネであり、ラック部材２２のラック歯を出力軸２１のオネジ部に圧接する圧接力を発生させている。ラック２２はスラストがなく、４群移動枠（第４保持枠）３０に取着している。２４は第４レンズ群４の回り止めバー、２５は第４レンズ群４の移動用の案内バーであり、４群移動枠３０と一体のスリーブと嵌合し、第４レンズ群４の倒れ偏心を防止している。
【００２３】２９はボリュームエンコーダユニットであり、ブラシ部２８とブラシ部２８と一体の連結部２７を有し、これらは腕部分２０に連結している。ブラシ部２８が図中、左右方向に移動し、抵抗体（不図示）上の接触位置が変化し、これよりエンコーダ７からの出力値が接触位置に応じて変化し、第２レンズ群２の光軸方向の位置を検出している。２６は絞り部である。
【００２４】本実施例において
撮影時に
固定カムコロ１２はカム環６上のカム溝３２のカムリフトを有していない（カムリフトが０）領域３２ｂに位置す
カム環６が回動しても第１レンズ群１が光軸方向に移動しない
【００２５】一方、
２群カムコロ１３はカム環６上のカム溝３１のカムリフトを持たせた領域３１ａに位置し
カム環６の回動に伴って第２レンズ群２
光軸上を移動する
カム環６は前玉枠５と枠８によってスラスト方向とラジアル方向とも嵌合ガタが所定量以下に押えられ
【００２６】この際、前玉枠５用の直進キー１１と直進溝１０の係合により
第１レンズ群１は
静止しており
直進移動している
【００２７】図２は図１の２点鎖線の２群移動枠１４の位置から（即ち
撮影時から非撮影時となったときに
第１レンズ群１の沈胴動作を行い
収納状態
【００２８】本実施例では図１の撮影状態から図２の収納状態への過程では図３（Ｃ），（Ｂ），（Ａ）に示すように２群移動枠１４用の２群カムコロ１３はカムリフトが０となる領域３１ｂを移動させている。
【００２９】これにより第１レンズ群１と第２レンズ群２の相対的位置関係は一定となり、固定カムコロ１２と係合したカム溝が所定のカムリフトを有する位置までカム環６を回動させて前玉枠５を直進させながら沈胴し、図２の収納状態に至るようにしている。
【００３０】次に図３（Ａ）〜（Ｄ）に示したカム環６のカム機構の展開状態について説明する。同図において左右方向はカム環６の回動角を示し、上下方向は光軸方向の位置を示している。又、前述の説明のように実際には第１レンズ群１と第２レンズ群２は共に倒れ偏心の除去の目的で３本以上のカム部を用いて位置決めしているが、同図では簡単の為に１本のカム部についてのみ図示している。
【００３１】図３（Ａ）は収納状態を示し（図２に相当）、図３（Ｂ）は収納状態から撮影状態へ移動する際の第１レンズ群１と第２レンズ群２の移動の中間状況を示している。図３（Ｃ）は撮影レンズの焦点距離がワイド端の状態を示し（図１の２点鎖線）、図３（Ｄ）はテレ端の状態（図１の実線）を示している。図３（Ｃ）と図３（Ｄ）の中間状況で中間の焦点距離をとっている。
【００３２】図３において３４は、例えばピント面上の光軸の位置である。Ａは固定カムコロ１２を示し、Ｂは２群カムコロ１３を示している。固定カムコロ１２と２群カムコロ１３は前述のように直進キー１１と２群枠用直進溝９により係合されているので、図３（Ａ）〜図３（Ｄ）とも紙面で光軸から左右方向の位置（相対距離）は変わらない。
【００３３】
カム環６には前玉枠用のカム部３２と２群移動枠用のカム部３１が設けられており、それぞれのカム部は
カムリフトが０のフラット部（０カム部）３１ｂ，３２ｂとカムリフトを有する部分（傾きカム部）３１ａ，３２ａとを合わせ持っている
【００３４】又、
固定カムコロ１２は
撮影状態において前玉枠５が外部から衝撃力を受けてもカム溝に打痕傷がつかないように断面形状が長円形としている。この為それに係合するカム部３２の
フラット部３２ｂは通常の形状となっているが収納時用の傾きカム部３２ａのカム溝は
幅の広い形状となっている
【００３５】図３（Ａ）は収納状態であり、ピント面３４からカム環６の後端部６ａまでの距離はＣであり最も短い。２群カムコロ１３はカムリフトが０でフラット部３１ｂの最奥位置にあるので、この状態から矢印３３の方向にカム環６が回動してもカム環６と第２レンズ群２の間の相対位置関係は変わらない（即ち、第１レンズ群１と第２レンズ群２との間の相対位置関係も変わらない）。
【００３６】一方、固定カムコロ１２はカムリフトを有する部分３２ａの最奥にあるので矢印３３の方向にカム環６を回動することにより前玉枠５は繰り出される（即ち、第１レンズ群１と第２レンズ群２とが一体的に繰り出す）。
【００３７】図３（Ｂ）はこの中間状況でピント位置３４からカム環の後端部６ａまでの距離はＢ（Ｂ＞Ｃ）となる。更に矢印３３方向にカム環６が回動すると図３（Ｃ）の状態となり、固定カムコロ１２はフラット部３２ｂに入り、逆に２群カムコロ１３はカムリフトを有する傾きカム部３１ａの入口に配置される。この際、ピント面３４からカム環６の後端部６ａまでの距離はＡとなる（Ａ＞Ｂ）。この状態が図１の２点鎖線の状態である。ここから更に矢印３３の方向にカム環６を回動させると図３（Ｄ）の状態（テレ端の状態）になる。
【００３８】本実施例では固定カムコロ１２の断面形状を長円形とし、撮影状態（図３（Ｃ）と図３（Ｄ）との間）において
カメラが落下したり、外部からの衝撃等の力が前玉枠５に加わってもカム部３２ｂの壁面と固定カムコロ１２の接触面が大きくなるようにしてカム溝３２の壁面に打痕傷がつかないようにしている
【００３９】又、本実施例によれば唯一のカム環６と唯一のモータ１７により撮影状態の変倍時には固定されている第１レンズ群を収納時には沈胴させている。
【００４０】又、本実施例では第２レンズ群２がワイド端にあるときの第１レンズ群１と第２レンズ群２の相対位置関係を維持したまま第２レンズ群２の変倍時のストロークと同じ量だけ第１レンズ群１を沈胴させている。
【００４１】一般に小型化の為にワイド端での第１レンズ群１と第２レンズ群２の間隔は各種の誤差を考慮してもメカ的にぶつからない範囲での最短距離になるよう、又、テレ端の絞りと第２レンズ群も最短距離になるよう設計されることが多い。
【００４２】本実施例では変倍での第２レンズ群の移動量と収納時の沈胴量を一致させ、これにより最も効率の良い沈胴効果を得ている。この為、図３のカム機構においてカム部３１とカム部３２のリフト量を一致させている。
【００４３】図４は本実施例におけるズームレンズを構成する第１，第２，第３，第４レンズ群の光軸方向の移動軌跡を示す説明図である。図４（Ａ），（Ｃ），（Ｄ）の各レンズ群の位置が図３（Ａ），（Ｃ），（Ｄ）と各々対応している。」
　
　エ　「【００４８】
【発明の効果】本発明によれば以上のように、
撮影状態において前玉枠が物体側へ繰り出しているときに外部から前玉枠に落下や衝撃等の力が加わっても、
カム溝の壁面に打痕傷が生じないようにし、前玉枠を円滑に駆動制御することのできるレンズ鏡筒
　
　オ　図１又は図２から、第２レンズ群２が第２保持枠である２群移動枠１４に保持されていること、及び、カム環６と前玉枠５とは光軸方向には相対移動せず一体となって移動すること、が見て取れる。
　
　カ　上記アないしオからみて、引用例２には、
「撮影時に固定の第１レンズ群１、
　変倍用の第２レンズ群２、
　第１レンズ群１を保持する第１保持枠である前玉枠５、
　前玉枠５内で回動するが、光軸方向には前玉枠５に対して相対移動せず前玉枠５と一体となって移動するカム環６、
　カム環６に設けられ、カムリフトが０のフラット部３２ｂとカムリフトを有する部分３２ａとを合わせ持っている前玉枠用のカム溝３２、
　カム環６に設けられ、カムリフトが０のフラット部３１ｂとカムリフトを有する部分３１ａとを合わせ持っている２群移動枠用のカム穴３１、
　カム環６の内側に設けられているカム環インナーギア７、
　カム環６のスラスト方向の後からの押えを兼ねた枠８、
　前玉枠５に形成している２群枠用直進溝９、
　固定筒１５、
　固定筒１５に設けられている前玉枠用直進溝１０、
　枠８と一体的に設けている前玉枠用直進キー部１１、
　固定筒１５と一体となっておりカム環６に設けたカム溝３２に係合する固定カムコロ１２、
　第２レンズ群２を保持する第２保持枠である２群移動枠１４、
　２群移動枠１４と一体的に設けられ、カム環６に設けたカム穴３１と係合し、更にその先端部が２群枠用直進溝９に係合している、２群カムコロ１３
　などを備え、
　撮影時に、固定カムコロ１２はカム環６上のカム溝３２のカムリフトを有していない領域３２ｂに位置し第１レンズ群１はカム環６が回動しても光軸方向に移動せず静止しており、２群カムコロ１３はカム環６上のカム穴３１のカムリフトを持たせた領域３１ａに位置し第２レンズ群２はカム環６の回動に伴って光軸上を直進移動し、撮影時から非撮影時となったときに第１レンズ群１の沈胴動作を行い収納状態にする、ビデオカメラ等の光学機器において用いられるレンズ鏡筒において、
　固定筒１５に設けた固定カムコロとして、その断面形状が円形の従来の固定カムコロ７１を用い、カム環６のカム溝３２とを係合させることにより駆動制御している場合は、撮影状態において前玉枠５が物体側へ繰り出しているときに、ビデオカメラ等の光学機器が落下したりして外部から前玉枠５に落下や衝撃等の力がかかると、固定筒１５に設けた断面形状が円形の固定カムコロ７１がカム環６に形成した前玉枠移動用のカム溝３２のフラット部３２ｂの壁面に衝打して打痕傷Ｐａが生じ、カム溝３２の打痕傷Ｐａが生じた領域を固定カムコロ７１が通過すると、変倍中では結像位置のずれとなり、カム環６の作動負荷が変動して円滑なる駆動制御が難しくなるので、
　撮影状態において前玉枠５が物体側へ繰り出しているときに外部から前玉枠５に落下や衝撃等の力が加わっても、カム溝３２の壁面に打痕傷Ｐａが生じないようにし、前玉枠５を円滑に駆動制御することができるようにすることを目的として、
　固定筒１５に設けた固定カムコロ１２の断面形状を光軸と直交方向に長い長円形とし、
　カム溝３２のフラット部３２ｂの壁面と固定カムコロ１２の接触面が大きくなるようにするとともに、
　固定カムコロ１２に係合するカム溝３２のフラット部３２ｂは通常の形状のままであるがカム溝３２の収納時用のカムリフトを有する部分３２ａは幅の広い形状として、
　ビデオカメラ等の光学機器が落下したり、外部からの衝撃等の力が前玉枠５に加わってもカム溝３２のフラット部３２ｂの壁面に打痕傷Ｐａがつかないようにし、前玉枠５を円滑に駆動制御することのできるようにした、
　ビデオカメラ等の光学機器において用いられるレンズ鏡筒。」の発明（以下「引用発明２」という。）が記載されているものと認められる。
　
４　対比
　本願発明と引用発明１とを対比する。
（１）円柱に底面があることは明らかであるから、引用発明１の「カム溝２４０４」、「カム環２４」、「係合」、「カムピン１４０６」、「１群レンズ枠１４０２」、「光軸方向」、「端面」、「『円柱部』の底面」、「円錐面」、「カム環２４の周方向」、「『第１の箇所』、『第４の箇所』、『第６の箇所』」、「『第１の箇所に対して第１のリード角』、『第１の箇所に対して第１のリード角とは逆方向に第２のリード角』、『第１の箇所に対して第１のリード角と同方向に第３のリード角』」、「『第２の箇所』、『第３の箇所』、『第５の箇所』」、「傾斜面」及び「レンズ鏡筒」は、それぞれ、本願発明の「カム溝」、「第１枠」、「『係合』、『当接』」、「カムフォロア」、「第２枠」、「光軸方向」、「頂面」、「底面」、「傾斜面」、「第１枠の円周方向に対して略平行な方向」、「水平部」、「第１枠の円周方向に対して傾斜した方向」、「傾斜部」、「側面」及び「レンズ鏡筒」に相当する。
　
（２）引用発明１の「第１枠（カム環２４）」は、内周面に「カム溝（カム溝２４０４）」を設けているから、本願発明の「第１枠」と、「少なくとも１つのカム溝を有する」点で一致する。
　
（３）引用発明１の「第２枠（１群レンズ枠１４０２）」は、外周面に「第１枠（カム環２４）」の「カム溝（カム溝２４０４）」に「係合」される３つの「カムフォロア（カムピン１４０６）」を設けているから、本願発明の「第２枠」と、「カム溝に係合する少なくとも１つのカムフォロアを有する」点で一致する。
　
（４）引用発明１の「レンズ鏡筒」は、３つの「カムフォロア（カムピン１４０６）」が「第１枠（カム環２４）」の「カム溝（カム溝２４０４）」に「係合」された状態で「第１枠」が回転することにより「第２枠（１群レンズ枠１４０２）」を「光軸方向」に移動させることができるようにしたものであるから、本願発明の「レンズ鏡筒」と、「第１枠に対して第２枠が相対的に回転することで、前記第１枠と前記第２枠が光軸方向に相対的に移動」する点で一致する。
　
（５）引用発明１の「カムフォロア（カムピン１４０６）」は、円柱部と、「傾斜面（円錐面）」と、「頂面（端面）」とを有するものであり、また円柱には底面があるから、引用発明１の「カムフォロア」と本願発明の「その頂面が２つの略真円を前記第２枠の円周方向に仮想的に並べて繋ぐことで形成される第１の形状に形成され、かつ、その底面が２つの略真円を前記第２枠の円周方向に仮想的に並べて繋ぐことで形成される第２の形状に形成され、前記頂面と前記底面とをつないだ傾斜面を有する、カムフォロア」とは「その頂面とその底面とをつないだ傾斜面を有」する点で一致する。
　
（６）引用発明１の「水平部（第１の箇所、第４の箇所及び第６の箇所）」は、「第１枠の円周方向に対して略平行な方向（カム環２４の周方向）」に沿って延在するから、本願発明の「水平部」と、「その側面が前記第１枠の円周方向に対して略平行な方向に形成された」点で一致する。
　
（７）引用発明１の「傾斜部（第２の箇所、第３の箇所及び第５の箇所）」は、「第１枠の円周方向に対して傾斜した方向（第１の箇所に対して第１のリード角、第１の箇所に対して第１のリード角とは逆方向に第２のリード角、第１の箇所に対して第１のリード角と同方向に第３のリード角）」をもって延在するから、本願発明の「傾斜部」と、「その側面が前記第１枠の円周方向に対して傾斜した方向に形成された」点で一致する。
　
（８）引用発明１の「カム溝（カム溝２４０４）」は、「水平部（第１の箇所、第４の箇所及び第６の箇所）」と、「傾斜部（第２の箇所、第３の箇所及び第５の箇所）」とからなり、「水平部と傾斜部との間の接続部（第１の箇所と第２の箇所との間の接続部、第４の箇所と第３の箇所との間の接続部、第４の箇所と第５の箇所との間の接続部、第６の箇所と第５の箇所との間の接続部、）」は湾曲していて、「カムフォロア」の係合部が線接触で「当接（係合）」して摺接する両側の「側面（傾斜面）」を有しているから、本願発明の「カム溝」と、「水平部と、傾斜部と、を有」し、かつ、「前記水平部の側面と前記傾斜部の側面とをつなぐ側面には、互いに対向する２つの湾曲面が形成され」ている点で一致する。
　また、引用発明１の「カムフォロア」が「カム溝」の両側の「側面」に線接触で「当接」して摺接する係合部の箇所が「傾斜面（円錐面）」であることは当業者に自明である。
　したがって、引用発明１は、本願発明の「前記カムフォロアが前記水平部と前記傾斜部との間を移動する際に、前記カムフォロアの前記傾斜面が、両側に位置する前記水平部の側面及び前記湾曲面及び前記傾斜部の側面に略連続的に当接する」との事項を有しているといえる。
　
（９）上記（１）ないし（８）から、本願発明と引用発明１とは、
「少なくとも１つのカム溝を有する第１枠と、
　前記カム溝に係合する少なくとも１つのカムフォロアを有する第２枠と、を備え、
　前記第１枠に対して前記第２枠が相対的に回転することで、
　前記第１枠と前記第２枠が光軸方向に相対的に移動し、
　前記カムフォロアは、その頂面とその底面とをつないだ傾斜面を有し、
　前記カム溝は、
　　その側面が前記第１枠の円周方向に対して略平行な方向に形成された水平部と、
　　その側面が前記第１枠の円周方向に対して傾斜した方向に形成された傾斜部と、
　を有し、
　　前記カム溝の前記水平部の側面と前記傾斜部の側面とをつなぐ側面には、互いに対向する２つの湾曲面が形成され、
　　前記カムフォロアが前記水平部と前記傾斜部との間を移動する際に、前記カムフォロアの前記傾斜面が、両側に位置する前記水平部の側面及び前記湾曲面及び前記傾斜部の側面に略連続的に当接する、レンズ鏡筒。」である点で一致し、次の点で相違する。
　
相違点：
　本願発明では、前記カムフォロアの頂面及び底面をそれぞれ形成する第１の形状及び第２の形状が、いずれも、２つの略真円を前記第２枠の円周方向に仮想的に並べて繋ぐことで形成される形状であり、前記カム溝の前記傾斜部の溝幅は、前記カム溝の前記水平部の溝幅よりも広く、前記湾曲面が形成されている部分では、前記カム溝の前記水平部から前記傾斜部に向かって溝幅が徐々に広がっているのに対して、
　引用発明１では、第１の形状及び第２の形状のいずれもそのような形状ではなく、前記カム溝の前記傾斜部の溝幅も、前記カム溝の前記水平部から前記傾斜部に向かっての溝幅も、そのようにはなっていない点。
　
５　判断
　上記相違点について検討する。
（１）引用例２には、上記３（２）のとおり、引用発明２（上記３（２）カ参照。）が記載されている。
　
（２）引用発明２のレンズ鏡筒は、固定筒１５に設けた固定カムコロとして、その断面形状が円形の従来の固定カムコロ７１を用いていると、撮影状態において前玉枠５が物体側へ繰り出しているときに、ビデオカメラ等の光学機器が落下したりして外部から前玉枠５に落下や衝撃等の力がかかったりすると、固定筒１５に設けた断面形状が円形の固定カムコロ７１がカム環６に形成した前玉枠移動用のカム溝３２のフラット部３２ｂの壁面に衝打して打痕傷Ｐａが生じるので、固定筒１５に設けた固定カムコロ１２の断面形状を光軸と直交方向に長い長円形として、カム溝３２のフラット部３２ｂの壁面と固定カムコロ１２の接触面が大きくなるようにし、カム溝３２の壁面に打痕傷Ｐａが生じないようにしたものである。
　また、引用発明２のレンズ鏡筒では、その前玉枠５とカム環６とが、光軸方向については相対移動せず一体となって移動するようになっており、撮影状態において前玉枠５とカム環６とが物体側へ繰り出しているときでも、その繰り出したカム環６の前面から前玉枠５が前方にさらに繰り出されることにはならないものである。
　しかるところ、引用発明１のレンズ鏡筒は、使用位置においてケース１０２の前面でもある固定環２０の前面からカム環２４が前方に突出し、さらにその突出したカム環２４の前面から１群レンズ枠１４０２が前方に突出するものであるから、引用発明２のレンズ鏡筒において、撮影状態において前玉枠５とカム環６とが物体側へ繰り出しているときに、ビデオカメラ等の光学機器が落下したりして外部から前玉枠５に落下や衝撃等の力が、固定筒１５に設けた断面形状が円形の固定カムコロ７１をカム環６に形成した前玉枠移動用のカム溝３２のフラット部３２ｂの壁面に衝打させて打痕傷Ｐａが生じさせると同様に、引用発明１のレンズ鏡筒においても、使用状態においてカム環２４及び１群レンズ枠１４０２が前方に突出しているときに撮像装置１００が落下したりしてかかる外部から落下や衝撃等の力が、固定環２０の内周面に設けたカム溝２００２，２００４と、該カム溝２００２，２００４に沿って動かされてカム環２４を光軸方向に移動させる３つの凸部２４０６とを衝打させることになるが、引用発明１のレンズ鏡筒においては、さらにその突出したカム環２４のカム溝２４０４と、１群レンズ枠１４０２のカムピン１４０６とをも衝打させることになる。
　したがって、引用発明１において、１群レンズ枠１４０２のカムピン１４０６も、引用発明２の固定カムコロ１２と同様に、その断面形状を光軸と直交方向に長い長円形として、カム溝２４０４の壁面とカムピン１４０６の接触面も大きくなるようにし、カム溝２４０４の壁面にも打痕傷Ｐａが生じないようにすることは、当業者が引用発明２に基づいて容易になし得た程度のことである。
　
（３）引用発明１の「レンズ鏡筒」を上記（２）のようになしたものは、その「カムフォロア（カムピン１４０６）」の「頂面（端面）」も光軸と直交方向に長い長円形となり、その円柱部の底面も光軸と直交方向に長い長円形となり、円柱部は光軸と直交方向に長い長円柱部となり、長円形は本願発明の「２つの略真円を前記第２枠の円周方向に仮想的に並べて繋ぐことで形成される形状」に相当し、「カム溝（カム溝２４０４）」の「傾斜部（第２の箇所、第３の箇所、第５の箇所）」では光軸と直交方向に長い断面形状の「カムフォロア」が光軸方向に対して斜めに移動するから断面形状を長円形となす前よりもその溝幅を広くしなければならず、「カム溝」の「水平部（第１の箇所、第４の箇所、第６の箇所）」では光軸と直交方向に長い断面形状の「カムフォロア」が光軸と直交方向に移動するからその溝幅は断面形状を長円形となす前と同じで大丈夫であり、前記「カムフォロア」が前記「水平部」と前記「傾斜部」との間を移動する際に、前記「カムフォロア」の前記「傾斜面（円錐面）」が、両側に位置する「水平部」の「側面（傾斜面）」及び前記「湾曲面」及び前記「傾斜部」の「側面」に略連続的に「当接（係合）」させるためには、前記「湾曲面」が形成されている部分では、前記「その溝幅は断面形状を長円形となす前と同じで大丈夫である水平部」から「その溝幅を広くしなければならない傾斜部」に向かってその溝幅を徐々に広げることになる。
　したがって、引用発明１において、前記「カムフォロア」を、その「頂面」及び「底面」をそれぞれ形成する「第１の形状」及び「第２の形状」が「２つの略真円を前記第２枠の円周方向に仮想的に並べて繋ぐことで形成される形状」のものとなし、前記「カム溝」を、前記「傾斜部」の溝幅が前記「水平部」の溝幅よりも広く、前記「湾曲面」が形成されている部分では、前記「カム溝」の前記「水平部」から前記「傾斜部」に向かって溝幅が徐々に広がっているものとなすこと、すなわち、引用発明１において、上記相違点に係る本願発明の構成となすことは、上記（２）からみて、当業者が容易になし得た程度のことである。
　
（４）本願発明の奏する効果は、引用発明１の奏する効果及び引用発明２の奏する効果から当業者が予測することができた程度のことである。
　
（５）したがって、本願発明は、当業者が引用例１に記載された発明及び引用例２に記載された発明に基づいて容易に発明をすることができたものである。
　
６　むすび
　本願発明は、以上のとおり、当業者が引用例１に記載された発明及び引用例２に記載された発明に基づいて容易に発明をすることができたものであるから、特許法第２９条第２項の規定により特許を受けることができない。
　よって、結論のとおり審決する。